(57)【要約】【課題】  カートリッジ式保存装置のつかみ取り装置の提供。【解決手段】  カートリッジ式保存装置とつかみ取り手段を具え、該カートリッジ式保存装置は前装飾面及び二側辺を具え、該二側辺にそれぞれレールが固着され並びに相互に平行とされ、そのうち少なくとも一つのレールの前端に第１スライド構造が付設され、該つかみ取り手段はレールの前端に組付けられ、各つかみ取り手段は直板、第２スライド構造を具え、そのうち第２スライド構造は第１スライド構造に対応し並びに前後にスライドし、直板前端につかみ取り部が設けられ、且つつかみ取り手段が別に回復バネでレールに接続され、この回復バネがつかみ取り手段に後ろ向きの回復弾力を提供し並びにそのつかみ取り部とカートリッジ式保存装置の前装飾面を揃え、且つつかみ取り部の周囲につかみ取り空間を保留する。【選択図】        図２
2005332355.tif 000002
【特許請求の範囲】
【請求項１】
カートリッジ式保存装置とつかみ取り手段を具え、
該カートリッジ式保存装置は前装飾面及び二側辺を具え、該二側辺に相互に平行にそれぞれレールが固着され、そのうち少なくとも一つのレールの前端に第１スライド構造が付設され、
該つかみ取り手段は少なくとも一つのレールの前端に組付けられ、各つかみ取り手段は直板、第２スライド構造を具え、そのうち第２スライド構造は第１スライド構造に対応して組み合わされ並びに第１スライド構造に沿って前後に摺動し、直板前端につかみ取り部が連設され、且つつかみ取り手段が別に回復バネでレールに接続され、この回復バネがつかみ取り手段に後ろ向きの回復弾力を提供し並びにそのつかみ取り部とカートリッジ式保存装置の前装飾面を平らに揃え、且つつかみ取り部の周囲につかみ取り空間を保留することを特徴とする、カートリッジ式保存装置のつかみ取り装置。
【請求項２】
請求項１記載のカートリッジ式保存装置のつかみ取り装置において、少なくとも一つのレールに設けられた第１スライド構造が前後に平行に設置された二つのネジとされ、且つ少なくとも一つのつかみ取り手段の第２スライド構造が滑り溝とされたことを特徴とする、カートリッジ式保存装置のつかみ取り装置。
【請求項３】
請求項１記載のカートリッジ式保存装置のつかみ取り装置において、カートリッジ式保存装置がカートリッジ式ＣＤドライブとされたことを特徴とする、カートリッジ式保存装置のつかみ取り装置。
【請求項４】
請求項１記載のカートリッジ式保存装置のつかみ取り装置において、カートリッジ式保存装置がカートリッジ式ＦＤドライブとされたことを特徴とする、カートリッジ式保存装置のつかみ取り装置。
【発明の詳細な説明】
【技術分野】
【０００１】
本発明は一種のつかみ取り装置に係り、コンピュータシステム中に適用されるカートリッジ式保存装置のつかみ取り装置を指し、特にコンピュータサーバーに適用されるものに関する。
【背景技術】
【０００２】
コンピュータサーバーは現在広く各企業に使用され、その特徴は規格化された機体サイズにより統一管理を行なうマシンルーム中で最大の土地利用効率を以てサーバーのメンテナンスを行なえることにある。
【０００３】
一般には情報が溢れる時代にあって、ハードディスク容量アップのほか、同一規格のサーバーの単位空間あたりのハードディスクドライブ収容数量を増す事ができれば、更に多くのデータ保存容量を提供でき、競争力を増すことができる。
【０００４】
しかし、コンピュータサーバーは一般のパーソナルコンピュータと同様、ＣＤドライブ或いはフレキシブルディスク（ＦＤ）ドライブによりソフトウエアインストール、バージョンアップ等の作業を行なう必要があるが、その使用頻度は高くない。このような重要であっても使用頻度の高くない作業のために各コンピュータサーバー中に一つのハードディスクドライブと同じ空間を占用するのは不経済である。
【０００５】
このため、カートリッジ式ＣＤドライブ／ＦＤドライブを利用して、必要な時だけに使用するようにしてその他の時間にはハードディスクを使用するようにすることは、経済的な方法である。しかしカートリッジ式ＣＤドライブ／ＦＤドライブは前装飾面のサイズ制限により使用者の交換操作に供される美観と使用に便利な構造を提供できない。
【発明の開示】
【発明が解決しようとする課題】
【０００６】
本発明の主要な目的は、一種のカートリッジ式保存装置のつかみ取り装置を提供することにあり、それは、カートリッジ式保存装置の面板の整った美観を維持すると共に、簡単につかんでこのカートリッジ式保存装置を交換できる装置であるものとする。
【課題を解決するための手段】
【０００７】
請求項１の発明は、カートリッジ式保存装置とつかみ取り手段を具え、
該カートリッジ式保存装置は前装飾面及び二側辺を具え、該二側辺に相互に平行にそれぞれレールが固着され、そのうち少なくとも一つのレールの前端に第１スライド構造が付設され、
該つかみ取り手段は少なくとも一つのレールの前端に組付けられ、各つかみ取り手段は直板、第２スライド構造を具え、そのうち第２スライド構造は第１スライド構造に対応して組み合わされ並びに第１スライド構造に沿って前後に摺動し、直板前端につかみ取り部が連設され、且つつかみ取り手段が別に回復バネでレールに接続され、この回復バネがつかみ取り手段に後ろ向きの回復弾力を提供し並びにそのつかみ取り部とカートリッジ式保存装置の前装飾面を平らに揃え、且つつかみ取り部の周囲につかみ取り空間を保留することを特徴とする、カートリッジ式保存装置のつかみ取り装置としている。
請求項２の発明は、請求項１記載のカートリッジ式保存装置のつかみ取り装置において、少なくとも一つのレールに設けられた第１スライド構造が前後に平行に設置された二つのネジとされ、且つ少なくとも一つのつかみ取り手段の第２スライド構造が滑り溝とされたことを特徴とする、カートリッジ式保存装置のつかみ取り装置としている。
請求項３の発明は、請求項１記載のカートリッジ式保存装置のつかみ取り装置において、カートリッジ式保存装置がカートリッジ式ＣＤドライブとされたことを特徴とする、カートリッジ式保存装置のつかみ取り装置としている。
請求項４の発明は、請求項１記載のカートリッジ式保存装置のつかみ取り装置において、カートリッジ式保存装置がカートリッジ式ＦＤドライブとされたことを特徴とする、カートリッジ式保存装置のつかみ取り装置としている。
【発明の効果】
【０００８】
本発明のカートリッジ式保存装置のつかみ取り装置は、不使用時には整った外観を有し、使用者がカートリッジ式保存装置を引き出したい時は、つかみ取り装置により簡単にカートリッジ式保存装置を取り出すことができ、進歩性を具備している。
【発明を実施するための最良の形態】
【０００９】
本発明のカートリッジ式保存装置のつかみ取り装置は、カートリッジ式保存装置とつかみ取り手段を具え、該カートリッジ式保存装置は前装飾面及び二側辺を具え、該二側辺にそれぞれレールが固着され並びに相互に平行とされ、そのうち少なくとも一つのレールの前端に第１スライド構造が付設されている。該つかみ取り手段はレールの前端に組付けられ、各つかみ取り手段は直板、第２スライド構造を具え、そのうち第２スライド構造は第１スライド構造に対応し並びに前後に摺動し、直板前端につかみ取り部が設けられ、且つつかみ取り手段が別に回復バネでレールに接続され、この回復バネがつかみ取り手段に後ろ向きの回復弾力を提供し並びにそのつかみ取り部とカートリッジ式保存装置の前装飾面を揃え、且つつかみ取り部の周囲につかみ取り空間を保留する。
【実施例１】
【００１０】
図１は本発明のカートリッジ式保存装置のつかみ取り装置２がカートリッジ式ＣＤドライブ／ＦＤドライブ１に応用され並びにコンピュータに組付けられた状態の表示図である。本実施例では、ＣＤドライブ／ＦＤドライブ複合機を例として説明を行なうが、本発明のカートリッジ式保存装置のつかみ取り装置２はこれに限定されるものではなく、カートリッジ式ハードディスクドライブ、カートリッジ式ＦＤドライブ、或いはその他のカートリッジ式保存装置に適用されうる。
【００１１】
図２も参照されたい。図２は本発明のカートリッジ式保存装置のつかみ取り装置の部分分解図である。図中に示される本発明の実施例は、カートリッジ式保存装置１、及びつかみ取り手段２１を具えている。該カートリッジ式保存装置１は前装飾面１１と二側辺１２を具え、該二側辺１２にレール３が相互に平行となるよう固着され、そのうち左側のレール３の前端３０に前後に平行に設置されたネジ孔３２にそれぞれ対応するネジ５１が挿通し、更に該ネジ５１がつかみ取り手段２１に設けられた滑り溝２２に挿通された後にワッシャ５３に挿着される。本実施例では該ワッシャ５３は鉄片上に六角銅リベットが設けられたものとされる。こうして該つかみ取り手段２１が、左側のレールの前端３０に組付けられ、該つかみ取り手段２１は、直板２１１、及び上述の滑り溝２２を具えている。該滑り溝２２は少なくとも一つのレールのネジ５１に対応し並びに前後にスライド可能である。注意すべきは、本実施例では、ネジ５１がレール３に装着されてつかみ取り手段２１の滑り溝２２に設置されているが、この構造は反対に設置可能であり、また、凸塊と凹溝、滑り溝とスライド等の他の同じ効果を有する機械構造に変更可能である。
【００１２】
つかみ取り手段２１の直板２１１前縁につかみ取り部２１２が連設され、該レール３は更にバネ固定構造３１及び二つのネジ孔３２を具え、且つ該つかみ取り手段２１に回復バネ４が設けられてレール３のバネ固定構造３１に接続され、該回復バネ４はその両端にそれぞれバネ固定構造３１と滑り溝２２に係止される固定フック４１、４２を具えている。該回復バネ４は該つかみ取り手段２１に後ろ向きの回復弾力を提供し並びにつかみ取り部２１２とカートリッジ式保存装置１の前装飾面１１を平らに揃え、且つつかみ取り部２１２の周囲につかみ取り空間Ｈを保留する。組合せ後の形式は図３に示されるようである。
【００１３】
図２に記載の構造により、つかみ取り手段２１は滑り溝２２の長軸方向に沿って摺動する。これにより、通常時には本発明のつかみ取り装置はカートリッジ式保存装置の表面と平らに揃えられ、美観を有するのみならず、使用者の誤接触によりカートリッジ式保存装置が離脱するのを防止する機能を有する。また使用者がカートリッジ式保存装置を抜き取りたい時は、図１に示されるように、人指し指をつかみ取り手段２１の横のつかみ取り空間Ｈに挿入してつかみ取り手段２１を引き出すが、この時、本発明に使用されている回復バネ４はつかみ取り手段２１を回復させるためだけに使用されるため、回復バネ４の弾力はあまり強くなくつかみ取り手段２１を楽に引き出してカートリッジ式保存装置との間にある距離を形成し、更に使用者が親指と人指し指を共同で使用して全体のカートリッジ式保存装置を引き出すことができる。
【００１４】
以上の実施例から分かるように、本発明のカートリッジ式保存装置のつかみ取り装置は、不使用時には整った外観を有し、使用者がカートリッジ式保存装置を引き出したい時は、つかみ取り装置により簡単にカートリッジ式保存装置を取り出すことができ、進歩性を具備している。なお、以上の実施例は本発明の範囲を限定するものではなく、本発明に基づきなしうる細部の修飾或いは改変は、いずれも本発明の請求範囲に属するものとする。
【図面の簡単な説明】
【００１５】
【図１】本発明のカートリッジ式保存装置のつかみ取り装置２がカートリッジ式ＣＤドライブ／ＦＤドライブ１に応用され並びにコンピュータに組付けられた状態の表示図である。
【図２】本発明のカートリッジ式保存装置のつかみ取り装置の部分分解図である。
【図３】本発明のカートリッジ式保存装置のつかみ取り装置の部分表示図である。
【符号の説明】
【００１６】
１  カートリッジ式保存装置
１１  前装飾面
１２  側辺
２  つかみ取り装置
２１  つかみ取り手段
２１１  直板
２１２  つかみ取り部
２２  滑り溝
３  レール
３０  前端
３１  バネ固定構造
３２  ネジ孔
４  回復バネ
４１  固定フック
４２  固定フック
５１  ネジ
５３  ワッシャ
Ｈ  つかみ取り空間
【図１】
2005332355.tif 000003
【図２】
2005332355.tif 000004
【図３】
2005332355.tif 000005